(57)【要約】【課題】  調整したダイリップ間隙を確実に保持し偏肉の安定したフィルムを成形できると共に、操作もし易いダイリップ間隙調整装置を提供する【解決手段】  リップ間隙を形成する部材に固着されるスタッドボルトに螺合する調整ナットと調整ネジ座を配設し、調整ネジ座を回動させる回動座を調整ナットと本体との間に配設した。【選択図】    図１
2005289026.tif 000002
【特許請求の範囲】
【請求項１】
押出機から供給される溶融合成樹脂をフィルムに成形するフィルム成形用ダイに使用されるダイリップ間隙調整装置において、
前記フィルム成形用ダイのリップ間隙を形成する部材にスタッドボルトを固着させると共に、前記スタッドボルトに螺合する調整ナット及び調整ネジ座と、前記スタッドボルトと同心上で本体と前記調整ナットとの間に前記調整ネジ座を回動させる回動座とを配設したことを特徴とするダイリップ間隙調整装置。
【発明の詳細な説明】
【発明の詳細な説明】
【技術分野】
【０００１】  本発明は、押出機から供給される溶融合成樹脂をフィルムに成形するフィルム成形用ダイに使用されるダイリップ間隙調整装置に関する。
【背景技術】
【０００２】  押出機から供給される溶融樹脂をフィルムに成形する際に、ダイリップ間隙調整装置でダイのリップ間隙を調整し、フィルムの偏肉（厚みのバラツキ）を制御することは、既に従来から行われている。【０００３】  この種のダイリップ間隙調整装置として、例えば、第１の例として図４に示すように、リップ間隙４８を形成する部材の調整ジョー４１が取り付けボルト４２で本体４０に摺動可能な状態で取り付けられており、止めネジ４４で調整ジョー４１に固着されているスタッドボルト４３にネジ山（Ａ）４６で螺合し本体４０にネジ山（Ｂ）４７で螺合している調整ナット４５を回動し、調整ジョー４１を調節してリップ間隙４８を調整している。【０００４】  又、第２の例として図５に示すように、調整ジョー５１が取り付けボルト５２で本体５０に摺動可能な状態で取り付けられており、止めネジ５４で調整ジョー５１に固着されているスタッドボルト５３に螺合している上調整ナット５５と下調整ナット５６を回動し調整ジョー５１を調節してリップ間隙５７を調整している。
【発明が解決しようとする課題】
【０００５】  しかしながら、上述した第１の例のダイリップ間隙調整装置にあっては、調整ナット４５を回動させるとネジ山（Ａ）４６とネジ山（Ｂ）４７のピッチ差で調整ジョー４１は移動するので調整操作は容易であるが、ネジ山には遊びがありネジ山の遊び分だけ調整ジョー４１は勝手に移動してしまうので、一旦調節した調整ジョー４１の位置が保持されずリップ間隙４８が変化してしまい、フィルムの偏肉も変化してしまうという問題点があった。
【０００６】  又、上述した第２の例のダイリップ間隙調整装置にあっては、上調整ナット５５と下調整ナット５６を回動させて調整ジョー５１を調節した後で上調整ナット５５と下調整ナット５６を互いに締め付ける事でスタッドボルト５３は遊ばなくなくなり調整ジョー５１の位置は確実に保持され調整したリップ間隙５７は安定的に保たれるが、下調整ナット５６は本体５０と調整ジョー５１の隙間にあり工具等での調整がし難いという問題点があった。
【０００７】  そこで、本発明の目的は、ネジ山の遊びを吸収（固定）する事で調整したリップ間隙を安定的に保持すると共に、操作し易いダイリップ間隙調整装置を提供することにある。
【課題を解決するための手段】
【０００８】  上記目的を達成するための本発明は、押出機から供給される溶融合成樹脂をフィルムに成形するフィルム成形用ダイに使用されるダイリップ間隙調整装置において、
前記フィルム成形用ダイのリップ間隙を形成する部材にスタッドボルトを固着させると共に、前記スタッドボルトに螺合する調整ナット及び調整ネジ座と、前記スタッドボルトと同心上で本体と前記調整ナットとの間に前記調整ネジ座を回動させる回動座とを配設したことを特徴とする。
【０００９】  これにより、ネジ山の遊びを吸収（固定）できて一旦調整したリップ間隙が安定的に保持されると共に、リップ調整も操作し易いダイリップ間隙調整装置となる。
【発明を実施するための最良の形態】
【００１０】  以下、本発明に係るダイリップ間隙調整装置を実施例により図面を用いて詳細に説明する。【００１１】  ［実施例］
図１はフィルム成形用Ｔダイに使用した本発明の実施例を示すダイリップ間隙調整装置の断面図、図２は同じく図１のＡ矢視図、図３は同じく図１のＢ−Ｂ線断面図ある。【００１２】  図１及び図３に示すように、図示しない押出機よりフィルム成形用Ｔダイ１に供給された溶融合成樹脂はリップ間隙１２より溶融状のフィルム１３となって出てくる。
そして、溶融状のフィルム１３は図示しない冷却ロールで冷却・固化される。【００１３】  図１及び図２に示すように、フィルム成形用Ｔダイ１は、本体２に固定ジョー４が取り付けられており、対向して調整ジョー３が取り付けボルト５により本体２に摺動可能状態で取り付けられていてリップ間隙１２を形成している。【００１４】  スタッドボルト６の一端が止メネジ７で調整ジョー３に固着されていて、他端側には調整ナット１１が螺合している。【００１５】  スタッドボルト６に螺合され、本体２に回動可能状態で遊嵌された調整ネジ座８はフランジ部で本体２に当接している。
スタッドボルト６の同心上で調整ナット１１と本体２との間にある回動座９はフランジ部で本体２に当接し回動可能状態で本体２に遊嵌されている。回動座９の中心部にはスタッドボルト６に接触しない状態で貫通孔があいている。【００１６】  ピン１０の一端が回動座９に固着しており他端側は調整ネジ座８に掘られた穴に軸心方向へは自在に移動できる状態で遊嵌されている。【００１７】  スタッドボルト６に螺合されている調整ナット１１がスタッドボルト６を引っ張ると共に回転座９のフランジ部を本体２に当接させている。【００１８】  ここで、リップ間隙１２を狭く調整する場合には、調整ナット１１を回動して回動座９から所定量だけ離し、次に回動座９を回動することでピン１０と遊嵌している調整ネジ座８を回動させて調整ナット１１が回転座９に当接するまでスタッドボルト６をリップ間隙１２が狭くなる方向に移動させる調節をする。
リップ間隙１２を広くする場合は前述と逆の調節を行う。【００１９】  従って、調整ネジ座８と調整ナット１１が本体２を間に挟んで、スタッドボルト６を引っ張りあうのでネジ山の遊びが吸収（固定）された状態になり、調整したリップ間隙１２は確実に保持されフィルム１３の偏肉も安定した状態を保つ。
又、回動座９及び調整ナット１１は隣接した位置にあり、且つ、周囲は開放された状態にあるので工具での操作がし易い。【００２０】  尚、本発明は上記実施例に限定されず、本発明の要旨を逸脱しない範囲で各種変更が可能であることは言うまでもない。
例えば、チューブ状フィルムを製造するインフレーションダイのリップ間隙調整装置としても適用できるし、スタッドボルト６のネジ山は右ネジでも左ネジでも良く、又、ピン１０ではなく爪クラッチ状に調整ネジ座８と回動座９を噛み合わせても良い。
【発明の効果】
【００２１】  以上説明したように本発明によれば、押出機から供給される溶融合成樹脂をフィルムに成形するフィルム成形用ダイに使用されるダイリップ間隙調整装置において、前記フィルム成形用ダイのリップ間隙を形成する部材にスタッドボルトを固着させると共に、前記スタッドボルトに螺合する調整ナット及び調整ネジ座と、前記スタッドボルトと同心上で本体と前記調整ナットとの間に前記調整ネジ座を回動させる回動座とを配設したので、ネジ山の遊びを吸収（固定）できて調整したリップ間隙を安定的に保持しフィルムの偏肉も安定したものとなると共に、操作し易いものとなる。
【図面の簡単な説明】
【図１】フィルム成形用Ｔダイに使用した、本発明に関するダイリップ間隙調整装置の断面図である。
【図２】同じく、図１のＡ矢視図である。
【図３】同じく、図１のＢ−Ｂ断面図である。
【図４】フィルム成形用Ｔダイに使用した、従来技術に関するダイリップ間隙調整装置の断面図である。
【図５】同じく、ダイリップ間隙調整装置の断面図である。
【符号の説明】
１  フィルム成形用Ｔダイ
２  本体
３  調整ジョー（リップ間隙を形成する部材）
６  スッタッドボルト
８  調整ネジ座
９  回動座
１０  ピン
１１  調整ナット
１２  リップ間隙
１３  フィルム
【図１】
2005289026.tif 000003
【図２】
2005289026.tif 000004
【図３】
2005289026.tif 000005
【図４】
2005289026.tif 000006
【図５】
2005289026.tif 000007